(57)【要約】  【課題】スプリンクラヘッドに取り付けられる天井における天井穴の拡張作業は、従来はノコギリ等工具を用いたため、拡張された穴はスプリンクラヘッドと同心円になれなかったり、作業中大変な労力を要したりすることがあって、作業効率が悪くなってしまう。【解決手段】  スプリンクラヘッド２０に穿設された天井５０に設けられた天井穴を拡張するホールソー１０であって、上記ホールソー１０は円筒形の回転軸体１と、該回転軸体１の外側に位置され、回転軸体１と同軸である切削部２とを備え、上記回転軸体１の内側に上記スプリンクラヘッド２０を遊嵌することで上記切削部２はスプリンクラヘッド２０を中心として回転し、拡張後の天井穴５０ｂはスプリンクラヘッド２０をほぼ中心とした円になる。【選択図】  図１
2008049457.tif 000002
【特許請求の範囲】
【請求項１】
スプリンクラヘッドに穿設される天井に設けられた天井穴を拡張するホールソーであって、
上記ホールソーは円筒形の回転軸体と、該回転軸体の外側に位置され、回転軸体と同軸である切削部と、を備え、上記回転軸体の内側に上記スプリンクラヘッドを遊嵌することで、上記切削部はスプリンクラヘッドを中心として回転することを特徴とするホールソー。
【請求項２】
上記ホールソーの回転軸体は、ホールソーの本体から脱着可能な構造を有することを特徴とする請求項１記載のホールソー。
【発明の詳細な説明】
【技術分野】
【０００１】
本発明は、ホールソー、すなわち穴開け装置、特にスプリンクラヘッドが設置されている天井に穴を開ける装置に関する。
【背景技術】
【０００２】
スプリンクラヘッドは天井の下に配管された立下り管に取り付けられるものであり、スプリンクラヘッドの種類によって天井の下面に設置されるものと、化粧天井内に埋め込まれていた状態で設置されるものとがあり、後者は一般的に「フラッシュ型スプリンクラヘッド」と呼ばれている。
【０００３】
フラッシュ型スプリンクラヘッド（以下はスプリンクラヘッドと記述する）は、化粧天井（以下は天井と記述する）に穿設された穴から下端部分が突出した状態で設置されていて、ゆえにスプリンクラヘッドと上記穴の間には環状の隙間が存在する。
【０００４】
一方、近年来スプリンクラ設備の立下り管は、地震対策のために可撓管を採用するケースが増えている。可撓管にスプリンクラヘッドを取り付ける工事の場合、スプリンクラヘッドを可撓管に固定してから、天井面にスプリンクラヘッドが穿設されるように穴を開け、そして固定部材で天井を吊り上げて建築物と固定する（例えば、特許文献１）。
【特許文献１】特開平１１−２３５３９６号公報
【発明の開示】
【発明が解決しようとする課題】
【０００５】
可撓管は従来の配管と違って可撓性があるので、施工後に例えば可撓管からスプリンクラヘッドを取り外したい場合、可撓管が捩れたり曲がったりすることを防ぐため可撓管を固定する用の工具が必要になる。このときの作業は、まずスプリンクラヘッド周囲の環状隙間を可撓管の固定工具が貫通できるように拡張して、そして拡張された隙間に固定工具を入れて可撓管を固定しながら、スプリンクラヘッドを専用工具で取り外す。
【０００６】
ところで、上記天井穴の拡張作業は、従来はノコギリ等工具を用いたため、拡張された穴はスプリンクラヘッドと同心円になれなかったり、作業中大変な労力を要したりすることがあって、仕上げた天井は見栄えが悪く、作業効率もよくなかった。
【課題を解決するための手段】
【０００７】
この発明は、上記課題を解決するためになされたもので、スプリンクラヘッドに穿設される天井に設けられた天井穴を拡張するホールソーであって、上記ホールソーは円筒形の回転軸体と、該回転軸体の外側に位置され、回転軸体と同軸である切削部とを備え、上記回転軸体の内側に上記スプリンクラヘッドを遊嵌することで、上記切削部はスプリンクラヘッドを中心として回転することを特徴とする。
【０００８】
また、上記ホールソーの回転軸体は、ホールソーの本体から脱着可能な構造を有することを特徴とする。
【発明の効果】
【０００９】
この発明の効果は上記のように、スプリンクラヘッドに穿設される天井に設けられた天井穴を拡張するホールソーであって、上記ホールソーは円筒形の回転軸体と、該回転軸体の外側に位置され、回転軸体に同軸である切削部とを備え、上記回転軸体の内側に上記スプリンクラヘッドを遊嵌することで、上記切削部はスプリンクラヘッドを中心として回転することができ、仕上げた天井穴はスプリンクラヘッドと略同心円になり、スプリンクラヘッドと天井穴の隙間隠しに用いたシーリングプレートはスプリンクラヘッドに取り付けられる際、拡張された天井穴と中心がほぼ一致し、効果的に隙間を隠すことができる。
【００１０】
また、上記ホールソーの回転軸体はホールソーの本体から脱着可能な構造を有するので、回転軸体の大きさを変えれば、スプリンクラヘッドのサイズが異なっても天井の穴開けが対応できる。
【発明を実施するための最良の形態】
【００１１】
この発明を実施するための実施形態を図１に示し、以下このホールソーの構成及び作動の手順を簡単に説明する。
【００１２】
実施形態１
図１は本発明に関わるホールソー１０が天井に穴を拡張している状態を示している。
【００１３】
天井５０は図示しない固定部材により建築物と固定されている。天井５０に穴が開けられ、その中心部からスプリンクラヘッド２０が穿設されている。このスプリンクラヘッド２０は、その上部に設けられたネジ部Ｎを介して可撓管のソケット部３０と連接している。可撓管は伸縮自在の可撓部４０を有し、例えば地震のときに可撓部４０が地震の振動を吸収することによって、スプリンクラヘッド２０の振動を軽減することができる。天井５０とスプリンクラヘッド２０の間に隙間Ｓ１が形成され、この隙間Ｓ１にホールソー１０の回転軸体１が嵌め込まれている。
【００１４】
ホールソー１０は、円筒形の回転軸体１と、回転軸体１と同軸であり直径は回転軸体１より大きく、回転しながら対象物を切削する切削部２と、ホールソー本体３と、切削部２をホールソー本体３に固定する連結ネジ４と、保護カバー５と、で構成されている。ホールソー１０の断面部分に示したように、回転軸体１は中空の円筒形状を有して、その内壁がスプリンクラヘッド２０の外周より若干大きな径に形成されて、余白を持って摺動できるようにスプリンクラヘッド２０に遊嵌している。保護カバー５は天井５０の下に当接され、回転軸体１および切削部２の下部を覆うように形成され、切削された天井５０の切り屑を回収する。本体３は連結ネジ４で切削部２と連結されている。そして図示しない電動ドリルは本体３と結合すれば、電動ドリルが回転すると切削部２が回転し、天井５０に所定の穴を開口させる。
【００１５】
次に、このホールソー１０が作動する手順を図１、図２および図３に参考しながら簡単に説明する。
【００１６】
まず、ホールソー１０の回転軸体１を隙間Ｓ１に通して、切削部２の中心をスプリンクラヘッド２０と一致させるように、回転軸体１の内側をスプリンクラヘッド２０の外周に当てるよう、嵌め込んで装着する。
【００１７】
次に、図示しない電動ドリルで本体３を回転させる。本体３と切削部２が連結されているため、切削部２が回転され天井５０を切削する。切削された天井５０の切り屑は保護カバー５により回収され、ごみ等が天井５０下に落下することはない。
【００１８】
なお、図示しない電動ドリルで本体３を回転させるときに、切削部２は回転するが、回転軸体１と、保護カバー５は回転しないことが好ましい。
【００１９】
図２は天井５０が切削されて穴が拡張された状態を示している。スプリンクラヘッド２０の周囲に拡張前の天井穴５０ａ（点線で示す）が、ホールソー１０の拡張（切削）によって、拡張後の天井穴５０ｂとなり、すなわち隙間Ｓ１が隙間Ｓ２まで拡大されていた。図に示したように拡張後の天井穴５０ｂはスプリンクラヘッド２０を中心とした円になり、穴開け作業の見栄えはとてもよい。
【００２０】
図３は拡張前の天井穴５０ａがスプリンクラヘッド２０の中心より外れた場合、拡張後の天井穴５０ｂの状態を示している。このとき、図２の場合に比べて、回転軸体１とスプリンクラヘッド２０との余白が大きい場合であり、図に開示したように、スプリンクラヘッド２０が設けられた天井５０に開けられた拡張前の天井穴５０ａの中心から、天井穴５０ｂの中心が外れても、取り付けられているスプリンクラヘッド２０の外周に当たって回転軸体１、つまり切削部２を回転させるため、拡張後の天井穴５０ｂはスプリンクラヘッド２０をほぼ中心とした円になり、すなわちほぼ同軸となる。
【００２１】
したがって、スプリンクラヘッド２０と拡張後の天井穴５０ｂが同心円になれば、隙間Ｓ２を隠す用のシーリングプレート（図示しない）をスプリンクラヘッド２０に取り付ければ、シーリングプレートが拡張した天井穴の中心と一致し、効果的に隙間が隠され、天井全体が見栄えよく仕上げられることができる。また、ノコギリを使わず天井穴を拡張することができるため、作業が容易になり、効率がアップすることができる。
【００２２】
そして、回転軸体１を本体部３から取り外して、スプリンクラヘッド２０の直径と合わせて異なる直径の回転軸体１を装着すれば、回転軸体１の内側とスプリンクラヘッド２０の外周との間の余白が必要以上に大きくならず、複数サイズのスプリンクラヘッド２０に対応でき、天井５０の穴開けの用途がさらに広げられる。
【００２３】
この実施形態によれば、スプリンクラヘッド２０に穿設された天井５０に設けられた天井穴を拡張するホールソー１０であって、上記ホールソー１０は円筒形の回転軸体１と、該回転軸体１の外側に位置され、回転軸体と同軸である切削部２とを備え、上記回転軸体１の内側に上記スプリンクラヘッド２０を遊嵌することで、上記切削部２はスプリンクラヘッド２０を中心として回転し、拡張後の天井穴５０ｂは元のスプリンクラヘッド２０の位置を中心とした円になり、天井の穴開けの見栄えがよい。なお、ノコギリを使わず天井穴を拡張することができるため、作業が容易になり、効率がアップすることができる。
【００２４】
また、ホールソー１０の回転軸体１は、ホールソー１０の本体３から脱着可能な構造を有するので、回転軸体１の大きさを変えれば、スプリンクラヘッド２０のサイズが異なっても対応できる。
【図面の簡単な説明】
【００２５】
【図１】実施形態１に係わるホールソー１０が天井５０に穴を拡張している状態
【図２】天井５０の穴が拡張されていた状態
【図３】天井５０の穴が拡張されていた別の状態
【符号の説明】
【００２６】
１          回転軸体
２          切削部
３          本体
４          連結ネジ
５          保護カバー
２０        スプリンクラヘッド
３０        可撓管のソケット部
４０        可撓部
５０        天井
５０ａ      拡張前の天井穴
５０ｂ      拡張後の天井穴
Ｓ１ 、Ｓ２ 隙間
Ｎ          ネジ部
１０        ホールソー（穴開け装置）
【図１】
2008049457.tif 000003
【図２】
2008049457.tif 000004
【図３】
2008049457.tif 000005